(57)【特許請求の範囲】
【請求項１】
電子装置に収容されるカード型外部装置の誤挿入認識方法において、
前記カード型外部装置が誤挿入されたかを確認する段階；及び
前記カード型外部装置が誤挿入されたことを確認した場合、該当エラーメッセージを表示部に出力する段階；及び
前記誤挿入されたカード型外部装置を再挿入することなく正常に再挿入することなく使用するかを確認する段階；及び
再挿入することなく使用されることを確認した場合、前記誤挿入されたカード型外部装置の接点パッドに対応するように前記電子装置の対応接続端子をスイッチングする段階を含む
ことを特徴とする方法。
【請求項２】
前記カード型外部装置は、加入者識別モジュール（ＳＩＭ：Ｓｕｂｓｃｒｉｂｅｒ Ｉｄｅｎｔｉｆｉｃａｔｉｏｎ Ｍｏｄｕｌｅ）カード又はメモリカードである
ことを特徴とする請求項１に記載の方法。
【発明の詳細な説明】
【技術分野】
【０００１】
本発明は、カードの誤挿入を認識するための電子装置及びその運用方法に関する。
【背景技術】
【０００２】
電子装置のうち、特に移動通信端末は、いわゆる「スマートフォン」と呼ばれており、画面にタッチする方式の表示装置を備え、相手方との通信という基本的な機能の他、高画素カメラレンズアセンブリを備えているため、静止画及び動画の撮影が可能である。また、装置に保存された音楽、動画などマルチメディアコンテンツを再生することができ、ネットワークに接続してウェブサーフィンをすることもできる。このような移動通信端末は次第に高性能ＣＰＵに替えられ多様化・高容量化されたコンバージェンス機能を行うことで相手方との通信という主な機能が却って付加機能と見なされるほど目覚ましい発展を遂げている。
【０００３】
移動通信端末は、内部に選択的又は必需的に適用される外部装置を有し、このような外部装置を次第に小型化し、移動通信端末に適用される外部装置を読み取り可能なインタフェース装置も小型化している。
【０００４】
例えば、このような外部装置では移動通信端末の保存空間を拡張させることができるメモリカード、一台の電子装置で異なる認証を受けた複数のユーザが使用可能なように着脱可能に取り付けられるいわゆる「ＳＩＭカード」と呼ばれる加入者識別モジュールカード（ＳＩＭ：Ｓｕｂｓｃｒｉｂｅｒ  Ｉｄｅｎｔｉｆｉｃａｔｉｏｎ  Ｍｏｄｕｌｅ  ｃａｒｄ）などが使用されている。このような外部装置は移動通信端末に適用が容易で、着脱空間を最小化できるようにカード型に構成され、移動通信端末の適所に配置された外部ポートを介して装置の内部に設けられたソケット手段に装着されて使用可能に認識される。
【０００５】
特に、加入者識別モジュールカードは、移動通信端末の加入者情報及びシステム関連情報が保存される。したがって、加入者識別モジュールカードが適用されると、適用される移動通信端末にかかわらず加入者識別モジュールカードに保存された情報に対応した移動通信端末として使用できる長所を有する。最近はこのような長所のため、ＣＤＭＡ方式の移動無線端末にもユーザ識別モジュール（ＵＩＭ：Ｕｓｅｒ  Ｉｄｅｎｔｉｆｙ  Ｍｏｄｕｌｅ）カード（以下「ＳＩＭカード」と称する）を適用している。
【０００６】
ＳＩＭカードの構成を見てみると、移動通信端末の適所に設けられたソケットに装着されることによって電気的な接続を行うようになる。この時、ＳＩＭカードの一面には所定大きさの接点パッドが互いに離隔するように複数個が設けられ、移動通信端末のソケット内に設けられた対応するコネクタに物理的に接触された構成を有する。より具体的には、ＳＩＭカードは順にＳＩＭ＿ＧＮＤ、ＳＩＭ＿ＩＯ、ＳＩＭ＿ＣＬＫ、ＳＩＭ＿ＲＳＴ、ＳＩＭ＿ＶＣＣの接点パッドを有し、移動通信端末のソケットにこれに対応する個数のコネクタが設けられて電気的に接続されるものである。
【０００７】
上記のＳＩＭカードは、一角が切り欠かれる形態で取り付けられることでユーザが端末に正しく装着するように誘導している。一般に、ＳＩＭカードは一面に接点パッドが設けられているため、ユーザの肉眼で容易に区分でき、前記ＳＩＭカードを逆に装着することはまれである。しかし、このようなＳＩＭカードは手でつかむことも難しいほど小型化していっているため、切り欠き部を無視したまま装着方向を逆にしてソケット内に挿入させる場合が頻繁で移動通信端末が動作しないか、又は動作しても誤動作を招く問題点が発生するようになった。また、ユーザの立場からも、小さいＳＩＭカードをソケットから分離させて正しく装着しなければならない面倒さという問題も発生するようになった。
【先行技術文献】
【特許文献】
【０００８】
【特許文献１】大韓民国特許公開公報番号１０−１９９９−００６７２３５号
【発明の概要】
【発明が解決しようとする課題】
【０００９】
本発明の目的は、カードの誤挿入を即座にユーザに認知させて装置の誤動作を未然に防止できるように具現されるカードの誤挿入を認識するための電子装置及びその運用方法を提供することにある。
【００１０】
本発明の他の目的は、カード装着方向にかかわらず常に正常な動作を行うように具現されるカードの誤挿入を認識するための電子装置及びその運用方法を提供することにある。
【００１１】
本発明のさらに他の目的は、カード装着方向にかかわらず常に正常な動作を行うか、または誤挿入をユーザに即座に認知させて装置の信頼性向上に資することができるように具現されるカードの誤挿入を認識するための電子装置及びその運用方法を提供することにある。
【課題を解決するための手段】
【００１２】
様々な実施形態によれば、本発明は、電子装置において、複数の接続端子を含み、電子装置の内部に設けられるソケット、前記ソケットに収容されて前記接続端子と電気的に対応接続され、外面に露出される複数の接点パッドを含むカード型外部装置、前記カード型外部装置の角に形成された切り欠き部の有無に応じて前記カード型外部装置の誤挿入を検出するための検出手段及び前記検出手段によってカード型外部装置の誤挿入を感知した場合は該当制御信号を出力するプロセッサを含む。
【００１３】
本発明によれば、上記の検出手段として、前記ソケットのカード装着空間内に前記カードが正常に挿入された場合、前記切り欠き部に一部が位置するように設けられる遊動片、前記遊動片と所定間隔に離隔して前記ソケットの外部に設けられる固定片及び前記固定片の支持を受けながら前記遊動片を常に前記ソケットのカード装着空間に位置させるように支持するスプリングを含み、前記遊動片には前記固定片の方向に導電体が設けられ、前記固定片には前記遊動片の方向に互いに離隔されたグラウンドピン及び電源が印加されるコンタクトピンが設けられ、前記遊動片の遊動によって前記導電体が前記グラウンドピン及びコンタクトピンと接触されるように電気的に接続させることができる。
【００１４】
したがって、本発明によれば、前記遊動片は、前記カード型外部装置が誤挿入された場合は押されるようにすることで、前記導電体が前記固定片のグラウンドピン及びコンタクトピンと電気的に接続されるようにして誤挿入を検出できる。
【００１５】
好ましくは、本発明によれば、前記カード型外部装置が誤挿入されたことを検出した場合、前記プロセッサモジュールの制御に応じてエラーメッセージを出力するための表示装置をさらに含み、ユーザに前記カード型外部装置を正しく装着させるためのメッセージを出力できる。
【００１６】
また、本発明によれば、前記検出手段によって前記カード型外部装置の誤挿入が検出された場合、誤挿入された前記カード型外部装置の対応する接点パッドに対応する正常な機能を行うように前記ソケットの接続端子をスイッチングさせるスイッチング手段をさらに含むことができる。したがって、前記スイッチング手段は、前記検出手段の検出動作によって自動的にスイッチング動作を行うこともでき、前記検出手段の検出信号を提供された別途のプロセッサモジュールの制御に応じてスイッチング動作を行うように具現されることもできる。
【００１７】
さらに、本発明によれば、上記の構成を有する電子装置によるカード型外部装置の誤挿入を認識するための方法を提案している。したがって、本発明は、電子装置に収容されるカード型外部装置の誤挿入の認識方法において、前記カード型外部装置が誤挿入されたかを確認する段階及び前記カード型外部装置が誤挿入されたことを確認した場合、該当するエラーメッセージを表示部に出力する段階を含む。この場合、前記カード型外部装置が誤挿入されたことを感知した場合、電子装置の動作を停止させることができる。しかし、これに限定されるものではなく、前記誤挿入されたカード型外部装置を正常に再挿入することなく使用するかを確認する段階及び再挿入することなく使用されることを確認した場合、前記誤挿入されたカード型外部装置の接点パッドに対応するように前記電子装置の対応接続端子をスイッチングする段階をさらに含むことができる。
【図面の簡単な説明】
【００１８】
【図１】本発明の一実施形態による電子装置にカードが適用される状態を示す斜視図である。
【図２】本発明の他の実施形態による電子装置にカードが適用される状態を示す平面図である。
【図３Ａ】本発明によるカードが電子装置のソケットに正常に挿入された状態を示す図である。
【図３Ｂ】本発明によるカードが電子装置のソケットに正常に挿入された状態を示図である。
【図４Ａ】本発明によるカードが電子装置のソケットに誤挿入された状態を示す図である。
【図４Ｂ】本発明によるカードが電子装置のソケットに誤挿入された状態を示す図である。
【図５】本発明によるカードが誤挿入された時、ユーザに認知させるための画面を示した電子装置の平面図である。
【図６】本発明によるカードの誤挿入を説明するための接点パッドの構造を比較したカードの構成図である。
【図７】本発明によるカードの誤挿入を認識して対応接続端子をスイッチングさせるための電子装置の構成図である。
【図８】本発明の他の実施形態によるカードの誤挿入検出手段を示す図である。
【図９】本発明による電子装置のブロック構成図である。
【発明を実施するための形態】
【００１９】
以下、本発明の好ましい実施形態を添付された図面を参照して詳しく説明する。なお、本発明を説明するに当たって、関連する公知の機能または構成に対する具体的な説明が本発明の要旨を不要に不明確にする虞があると判断された場合、その詳細な説明は省略する。また、以下で記載される用語は、本発明における機能を考慮して定義された用語であって、これはユーザ、運用者の意図または慣例などによって異なることがある。したがって、その定義は本明細書全般にわたる内容に基づいて行われるべきである。
【００２０】
本発明を説明するにあたって、電子装置として移動端末（ｍｏｂｉｌｅ  ｔｅｒｍｉｎａｌ）を示し、このような移動端末に適用されるカード型外部装置を示してこれについて記載している。しかし、これに限定されるものではなく、このようなカード型外部装置は様々な機器に適用されることができ、例えば、携帯用電子装置（ｐｏｒｔａｂｌｅ  ｅｌｅｃｔｒｏｎｉｃ  ｄｅｖｉｃｅ）である場合もあり、携帯端末（ｐｏｒｔａｂｌｅ  ｔｅｒｍｉｎａｌ）、モバイルパッド（ｍｏｂｉｌｅ  ｐａｄ）、メディアプレーヤ（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のような装置に適用され得る。しかし、このような携帯用の概念に属する電子装置ではなくてもＰＣ（Ｐｅｒｓｏｎａｌ  Ｃｏｍｐｕｔｅｒ）など様々な固定式電子装置のためのカード型外部装置の挿入構造を有し得る。
【００２１】
さらに、本発明では、カード型外部装置として加入者識別モジュール（ＳＩＭ：Ｓｕｂｓｃｒｉｂｅｒ  Ｉｄｅｎｔｉｆｉｃａｔｉｏｎ  Ｍｏｄｕｌｅ）カード（以下「ＳＩＭカード」という）を記載し、これについて説明するが、これに限定されるものではない。例えば、電子装置はその内部に設けられたソケットの複数の接続端子に対応接続されるための複数の接点パッドを有する様々なカードが適用され得る。したがって、ＳＩＭカードの他にも小型メモリカード、ＩＤカードなど様々なカード型外部装置が適用され得ることは自明である。
【００２２】
図１は、本発明の一実施形態による電子装置にカードが適用される状態を示す斜視図である。
【００２３】
図１を参照すると、電子装置１００は、前面に表示装置１０１が設けられる。このような表示装置１０１としてはデータ入出力が同時に具現されるタッチスクリーン装置が好ましい。表示装置１０１の下側には相手方に音声を送信するためのマイク装置１０３が設けられており、表示装置１０１の上側に相手方の音声を受信できるスピーカ装置１０２が設けられる。スピーカ装置１０２の近くには複数の補助手段１０４，１０５が設けられ得る。例えば、電子装置１００として移動通信端末が用いられる場合、このような補助手段は被写体を撮影するためのカメラモジュール１０４、周りの明るさをセンスして表示装置１０１の明るさを自動的に調節するための照度センサ１０５、通話時の表示画面をオフ（ｏｆｆ）させる等の機能のための近接センサが設けられ得る。
【００２４】
一方、電子装置１００の側面には所定長さのスロット１０６が形成され、このようなスロット１０６に選択的に着脱可能にカード型の外部装置２０’が取り付けられる。この場合、カード型外部装置２０’は電子装置の補助記憶装置として使用されるメモリカードであり得る。図示していないが、スロット１０６の内部にカード型外部装置２０’を収容できるソケットが設けられ得る。
【００２５】
図２は、本発明の他の実施形態による電子装置にカードが適用される状態を示す平面図である。
【００２６】
図２を参照すると、電子装置１００の後面１０７にもカード型外部装置２０が取り付けられ得る。すなわち、電子装置１００の後面１０７にソケット１０が設けられ、これにカード型外部装置２０が挿入される方式で適用され得る。この時、カード型外部装置２０としてはＳＩＭカードが使用され得る。このようなＳＩＭカードは下側のバッテリパック１０８及び引っ掛かり片１０９によって離脱が防止されるように適用される。
【００２７】
図１及び図２に示したように、カード型外部装置２０’，２０は、外面に露出されるように複数の接点パッドが設けられており、ソケット１０に挿入される場合、ソケット内の対応接続端子に物理的に接続されて該当動作を行うように具現される。しかし、このようなカードは接点パッドがカードの外面に露出されユーザが認識できるように配置されるため、装着面を裏返して使用することは極めてまれである。したがって、本発明では略長方形のＳＩＭカードを１８０度回転させて誤って装着した場合に誤挿入を検出してユーザに正しいカード挿入を誘導するか、または誤挿入されても正常なカード認識動作を行うことができるようにしている。
【００２８】
以下、カード型外部装置を「ＳＩＭカード」と称して説明する。
【００２９】
図３Ａ及び図３Ｂは、本発明によるカードが電子装置のソケットに正常に挿入された状態を示す図である。本図面を説明するにあたって、電子装置の全体構成を説明の便宜上省略し、電子装置に設けられたソケット及びソケットに取り付けられるＳＩＭカードのみを示した。
【００３０】
図３Ａ及び図３Ｂを参照すると、ＳＩＭカード２０が正常にソケット１０に挿入される状態を示すもので、ソケット１０の一側にはＳＩＭカード２０の挿入に応じた検出手段３０が設けられる。
【００３１】
ＳＩＭカード２０は、略長方形に形成され、一角がカットされた切り欠き部２１を含む。したがって、ユーザは切り欠き部２１を肉眼で認識してＳＩＭカード２０の正しい挿入を行うことができる。
【００３２】
ＳＩＭカード２０は、複数の接点パッドＣ１，Ｃ２，Ｃ３，Ｃ４，Ｃ５，Ｃ６，Ｃ７，Ｃ８が外面に露出されるように所定間隔に配置されている。このような接点パッドＣ１，Ｃ２，Ｃ３，Ｃ４，Ｃ５，Ｃ６，Ｃ７，Ｃ８は、例えば、ＳＩＭカードの場合ＳＩＭ＿ＶＣＣ（Ｃ１），ＳＩＭ＿ＲＳＴ（Ｃ２），ＳＩＭ＿ＣＬＫ（Ｃ３），ＳＩＭ＿ＧＮＤ（Ｃ５），ＳＩＭ＿ＩＯ（Ｃ７）の５個の接点パッドからなることができる。残りの接点パッドＣ４，Ｃ６，Ｃ８は設置されてはいるが、別途の接続機能を行わない。しかし、今後ＳＩＭカード２０の機能が多様化し、それに対する該当の追加的な接続機能を行うために予備の接点パッドとして具現されたものである。
【００３３】
一方、ソケット１０のカード装着空間１９には対応接続端子１１，１２，１３，１５，１６，１７が設けられている。このような接続端子１１，１２，１３，１５，１６，１７は上記のＳＩＭカード２０がソケット１０のカード装着空間１９に装着された場合、上記のＳＩＭ＿ＶＣＣ（Ｃ１），ＳＩＭ＿ＲＳＴ（Ｃ２），ＳＩＭ＿ＣＬＫ（Ｃ３），ＳＩＭ＿ＧＮＤ（Ｃ５），ＳＩＭ＿ＩＯ（Ｃ７）の５個の接点パッドに対応接続されるように配置され得る。また、ＳＩＭカードの接点パッドと接続されるが、該当機能を行わない少なくとも１つの接続端子（通称「空きピン」）１６が備えられ得る。付加的には、ソケット１０にはエッジに沿ってカード装着面１９に装着されたＳＩＭカード２０の離脱を防止し、その装着位置を区切るための複数個の引っ掛かり片１４が形成され得る。しかし、これに限定されるものではなく、ソケット１０はハウジング形に形成されるか、または装着されたＳＩＭカード２０を装着方向に加圧する度にロック機能と解除機能とを繰り返す公知のロック装置をさらに備えることもできる。
【００３４】
検出手段３０は、ＳＩＭカード２０が装着された時、誤挿入のみを認識するために動作する。検出手段３０としてはソケット１０のカード装着空間１９に一部が露出されるように設けられるが、カード装着空間１９の外に遊動され得るように設けられる遊動片３１と、上記の遊動片３１が常にカード装着空間１９に位置するように復元力を提供するスプリング３２を支持する固定片３３と、を含む。したがって、遊動片３１の一部は固定片３３の支持を受けるスプリング３２によって常にソケット１０のカード装着空間１９内に位置するように設けられる。
【００３５】
上記の遊動片３１はカード装着空間１９に位置してもＳＩＭカード２０が完全に装着された時、切り欠き部２１によって干渉を受けない位置に設けられる。すなわち、遊動片３１はソケット１０のカード装着空間１９にＳＩＭカード２０が誤挿入されてカットされていない角が遊動片３１に接触される方式で設けられ、ユーザによってＳＩＭカード２０が完全にソケット１０に装着されようとする時、ＳＩＭカード２０の角によって遊動され得るように位置するものである。
【００３６】
さらに、固定片３３には遊動片３１の方向に所定間隔に離隔されたグラウンドピン３３１及びコンタクトピン３３２が設けられ、遊動片３１には固定片３３の方向に所定幅の導電体３１１が設けられる。したがって、遊動片３１がＳＩＭカード２０によって押されない場合、グラウンドピン３３１及びコンタクトピン３３２は導電体３１１と離隔された状態を維持するが、ＳＩＭカード２０の誤挿入によって切り欠き部２１ではない角によって遊動片３１が押される場合、遊動片３１の導電体３１１によって固定片３３のグラウンドピン３３１及びコンタクトピン３３２は互いに電気的に接続される状態になり、これによって電子装置１００のＳＩＭカード制御部（図７の４５）はＳＩＭカード２０の誤挿入を認識して該当動作を行うことができる。
【００３７】
上記の遊動片３１及び固定片３３は概略的に示したが、電子装置の内部に遊動または固定されることができ、より詳しくは、電子装置のケースフレームの支持を受けて遊動または固定され得る。
【００３８】
図４Ａ及び図４Ｂは、本発明によるカードが電子装置のソケットに誤挿入された状態を示す図で、図５は、本発明によるカードが誤挿入された時、ユーザに認知させるための画面を示す電子装置の平面図である。
【００３９】
図４Ａ乃至図５を参照すると、この場合、ＳＩＭカード２０の誤挿入によってＳＩＭカード２０の切り欠き部２１ではない角が遊動片３１の傾斜部３１２に接触される。この状態ではＳＩＭカード２０が完全に挿入された状態でないため、ユーザはソケット１０の装着空間にＳＩＭカード２０を挿入させ続けるようになる。このような動作によって検出手段３０の遊動片３１は図４Ｂの矢印方向に押されるようになり、結果的に遊動片３１の導電体３１１が固定片３３のグラウンドピン３３１とコンタクトピン３３２とを電気的に接続させることによってＳＩＭカード制御部４５はユーザがＳＩＭカード２０を誤挿入したことを認識するようになる。
【００４０】
したがって、電子装置１００のプロセッサはＳＩＭカード制御部４５の感知信号に応じて電子装置１００の表示装置１０１に様々なメッセージを出力できる。または、別途のＳＩＭカード制御部４５を設けることなく電子装置１００のプロセッサモジュールがＳＩＭカード制御部４５の役割を同時に行って電子装置１００を制御できる。例えば、図５に示すように、「Ｓｉｍ  Ｃａｒｄ  Ｎｏｔ  Ｃｏｒｒｅｃｔｌｙ  Ｉｎｓｅｒｔｅｄ。  Ｐｌｅａｓｅ  Ｉｎｓｅｒｔ  Ｃｏｒｒｅｃｔｌｙ！」というメッセージを出力してユーザがＳＩＭカード２０を正しく再挿入することができるように誘導できる。しかし、これに限定されるものではなく、様々な方式のメッセージを出力することもできる。また、本発明の他の実施形態によって、ＳＩＭカード２０の誤挿入時にも正常に動作できるようにソケット１０内の接続端子１１，１２，１３，１５，１６，１７の機能をスイッチングさせることができる場合、ＳＩＭカード２０が誤って挿入されたというメッセージを出力するとともに、ユーザがＳＩＭカード２０を誤挿入させた状態で正常に動作させるか、または正しく再挿入させるかを問うメッセージを出力することもできる。
【００４１】
または、物理的にＳＩＭカード２０が誤挿入される場合、遊動片３１に引っ掛かって完全に挿入されないように誘導して、ユーザがこれを認識しＳＩＭカード２０を正常に再挿入できるように誘導することもできる。
【００４２】
図６は、本発明によるカードの誤挿入を説明するための接点パッドの構造を比較したカードの構成図で、図７は、本発明によるカードの誤挿入を認識して対応接続端子をスイッチングさせるための電子装置の構成図である。
【００４３】
本図面では上記の検出手段によってＳＩＭカード２０の誤挿入が検出された場合、電子装置のプロセッサモジュール又はＳＩＭカード制御部４５は、ソケット１０内の該当接続端子１１，１２，１３，１５，１６，１７の機能をスイッチングさせることによってＳＩＭカード２０が誤挿入されても正常に動作させるための構成である。最近はＳＩＭカード２０が次第に小型化していく傾向にあり、ソケット１０に誤挿入されてもＳＩＭカードに露出された接点パッドＣ１，Ｃ２，Ｃ３，Ｃ４，Ｃ５，Ｃ６，Ｃ７，Ｃ８がソケット１０の接続端子１１，１２，１３，１５，１６，１７に該当機能が対応していない状態で接続され得る。
【００４４】
図６及び図７を参照すると、ＳＩＭカードが正常に挿入された場合、ＳＩＭカードの接点パッドＶＣＣ（Ｃ１）はソケットの第１接続端子１１に対応し、ＳＩＭカードの接点パッドＳＩＭ＿ＲＳＴ（Ｃ２）はソケットの第２接続端子１２に対応し、ＳＩＭカードの接点パッドＳＩＭ＿ＣＬＫ（Ｃ３）はソケットの第３接続端子１３に対応し、ＳＩＭカードの接点パッドＳＩＭ＿ＧＮＤ（Ｃ５）はソケットの第４接続端子１５に対応し、ＳＩＭカードの接点パッドＳＩＭ＿ＩＯ（Ｃ７）はソケットの第６接続端子１７に対応するように電気的に接続されて正常な動作を行う。
【００４５】
これに対し、ＳＩＭカードが逆方向に誤挿入された場合、ＳＩＭカードの接点パッドＶＣＣ（Ｃ１）はソケットの第６接続端子１７に対応し、ＳＩＭカードの接点パッドＳＩＭ＿ＲＳＴ（Ｃ２）はソケットの第５接続端子１６に対応し、ＳＩＭカードの接点パッドＳＩＭ＿ＣＬＫ（Ｃ３）はソケットの第４接続端子１５に対応し、ＳＩＭカードの接点パッドＳＩＭ＿ＧＮＤ（Ｃ５）はソケットの第３接続端子１３に対応し、ＳＩＭカードの接点パッドＳＩＭ＿ＩＯ（Ｃ７）はソケットの第１接続端子１１に対応するように電気的に接続される。
【００４６】
したがって、この場合、図７に示したように、電子装置１００はソケット１０の接続端子をスイッチングさせることができる別途のスイッチング手段４０を備えて上記の検出手段３０のカードの誤挿入に対する検出によって該当ソケット１０内の接続端子１１，１２，１３，１５，１６，１７の機能をスイッチングさせることができる。
【００４７】
図７を参照すると、ＳＩＭカード２０が誤挿入された時、検出手段３０の遊動片３１に設けられた導電体３１１によってコンタクトピン３３２はグラウンドピン３３１に電源が印加され、これによってスイッチング手段４０の対応スイッチング装置４１，４２，４３をスイッチングさせることができる。したがって、スイッチング手段の第１スイッチング装置４１によって、第１接続端子１１と第６接続端子１７がスイッチングされ、第２スイッチング装置４２によって第３接続端子１３と第４接続端子１５がスイッチングされ、第３スイッチング装置４３によって第２接続端子１２と第５接続端子１６がスイッチングされることによってＳＩＭカードの誤挿入時にも正常な動作を行うように誘導できる。
【００４８】
本図面では検出手段３０の検出によって電源をグラウンドに印加させ、この信号を利用して制御部の制御なしで自動的にスイッチング手段をスイッチングさせているが、検出手段の検出を受けてＳＩＭカード制御部又はＳＩＭカード制御部の検出信号を提供された電子装置のプロセッサが直接上記のスイッチング手段を制御することもできる。
【００４９】
図８は、本発明の他の実施形態によるカードの誤挿入検出手段を示す図である。
【００５０】
図８を参照すると、ソケットのカード装着空間に一部が設けられて検出手段を動作できる様々な実施形態を示している。
【００５１】
（ａ）は遊動可能な金属性回転片５１をソケット１０のカード装着空間に設け、ソケット１０の壁面にコンタクトピン５２を設けてＳＩＭカード２０が誤挿入された場合、ＳＩＭカードの角によって矢印方向に回転するように押されてコンタクトピン５２に回転片５１が電気的に接続されることによってＳＩＭカードの誤挿入を検出する構成を示している。
【００５２】
（ｂ）はソケット１０のカード装着空間内の角にスプリング６２によって支持されるように遊動体６１が設けられ、ソケット１０の壁面に所定間隔に離隔されたグラウンドピン６３１及びコンタクトピン６３２を設け、遊動体６１のソケット壁面と接する部分に導電体６１１を設けて、ＳＩＭカード２０が誤挿入された場合、ＳＩＭカードの角によって遊動体６１が矢印方向に押されてコンタクトピン６３２に印加された電源がグラウンドピン６３１を介して接地されるようにしてＳＩＭカード２０の誤挿入を検出する構成を示している。
【００５３】
その他、物理的または機構的にＳＩＭカードの誤挿入を検出できる様々な手段が適用され得る。例えば、ＳＩＭカードが正常に挿入された場合、ＳＩＭカードの切り欠き部によって露出されるソケットのカード装着空間の中に発光部及び受光部を有する少なくとも１つのフォトセンサを設けることができる。この場合、ＳＩＭカードを正常に挿入すると、フォトセンサの発光部で照射された光は切り欠き部を介して受光部に受光されることができ、ＳＩＭカードを誤挿入させた場合、フォトセンサの発光部から照射された光は切り欠き部ではないＳＩＭカードの角によって受光部に受光されないことを感知して誤挿入を検出することもできる。上記の１つのフォトセンサの他、誤挿入にかかわらずＳＩＭカードの装着を確認できるさらに他のフォトセンサがさらに設けられることが好ましい。したがって、電子装置のプロセッサは、一方のフォトセンサでＳＩＭカードがソケット内に装着されたことを確認することができる。プロセッサは、ＳＩＭカードがソケット内に装着されたことを確認すると、他方のフォトセンサの感知有無に応じて ＳＩＭカードの誤挿入を検出できる。
【００５４】
図９は、本発明による電子装置のブロック構成図である。
【００５５】
図９を参照すると、電子装置は、格納モジュール１１０、プロセッサ（ｐｒｏｃｅｓｓｏｒ）モジュール１２０、通信モジュール１３０、外部ポート（ｐｏｒｔ）１４０、スイッチング手段４０、検出手段３０、オーディオ処理部１５０、入出力（ＩＯ、Ｉｎｐｕｔ  Ｏｕｔｐｕｔ）制御モジュール１６０、表示部１７０及び入力装置１８０を含む。ここで、格納モジュール１１０及び外部ポート１４０は複数個が存在することができ、表示部はディスプレイモジュールとしてＬＣＤモジュールを含むことができる。
【００５６】
プロセッサモジュール１２０は、メモリ制御器１２１、プロセッサ（ｐｒｏｃｅｓｓｏｒ）１２２及び周辺インタフェース１２３を含む。ここで、プロセッサ１２２は複数個が存在することができる。ここで、プロセッサモジュール１２０は、通常「プロセッサ」と称される場合もある。
【００５７】
通信モジュール１３０は、ＲＦ（Ｒａｄｉｏ  Ｆｒｅｑｕｅｎｃｙ）処理部１３１及びベースバンド処理部（ｂａｓｅ  ｂａｎｄ  ｐｒｏｃｅｓｓｏｒ）１３２を含む。
【００５８】
上記の構成要素は１つ以上の集積回路（ｉｎｔｅｇｒａｔｅｄ  ｃｉｒｃｕｉｔ）のようなハードウェア又はソフトウェア又はハードウェアとソフトウェアの組み合わせによって具現され得る。
【００５９】
各構成要素について記載すると次のとおりである。
【００６０】
格納モジュール１１０は、電子装置１００の動作を制御するためのプログラムを格納するプログラム格納部及びプログラム遂行中に発生するデータを格納するデータ格納部１１８で構成され得る。例えば、プログラム格納部はオペレーションシステムソフトウェアモジュール１１１、通信ソフトウェアモジュール１１２、グラフィックソフトウェアーモジュール１１３、ユーザインタフェースソフトウェアモジュール１１４、少なくとも１つのアプリケーションプログラムソフトウェアモジュール１１５、タッチ運用プログラムモジュール１１６及び本発明による外部ポート制御モジュール１１７を含む。
【００６１】
オペレーションシステムソフトウェアモジュール１１１は、一般的なシステム作動（ｏｐｅｒａｔｉｏｎ）を制御する少なくとも１つのソフトウェア構成要素を含む。この時、オペレーションシステムソフトウェアモジュール１１１は複数個のハードウェア（装置）とソフトウェア構成要素との間の通信を円滑にする機能も行う。
【００６２】
通信ソフトウェアモジュール１１２は、ＲＦ処理部１３１や外部ポート１４０を介して送信及び受信するデータを処理するための少なくとも１つのソフトウェア構成要素を含む。
【００６３】
グラフィックソフトウェアーモジュール１１３は、表示部１７０上にグラフィックを提供して表示するための少なくとも１つのソフトウェア構成要素を含む。
【００６４】
ユーザインタフェースモジュール１１４は、ユーザインタフェースに関連した少なくとも１つのソフトウェア構成要素を含む。
【００６５】
アプリケーションプログラムソフトウェアモジュール１１５は、携帯用電子装置１００に設けられた少なくとも１つのアプリケーションプログラムに対するソフトウェア構成要素を含む。
【００６６】
タッチ運用プログラムモジュール１１６は、入出力制御モジュール１６０に含まれたタッチパネルＩＣ及びペンタッチパネルＩＣで認識したタッチエラーを補正するためのソフトウェア構成要素を含む。
【００６７】
外部ポート制御モジュール１１７は、本発明による検出手段３０によってＳＩＭカードの誤挿入が検出されるとプロセッサモジュール１２０の制御を受けてＳＩＭカードの誤挿入によるエラーメッセージを表示部に表示できる構成要素を含む。
【００６８】
プロセッサモジュール１２０のメモリ制御器１２１は、プロセッサ１２２又は周辺インタフェース１２３のような他の構成要素の格納モジュール１１０へのアクセスを制御し、本発明によるＳＩＭカード２０の誤挿入を検出した場合、スイッチング手段を制御してソケット内の接続端子の機能をスイッチングできる。
【００６９】
周辺インタフェース１２３は、電子装置の１００の入出力周辺装置とプロセッサ１２２及び格納モジュール１１０との接続を制御する。
【００７０】
プロセッサ１２２は、少なくとも１つのソフトウェアプログラムを使用して電子装置１００が音声通信及びデータ通信のような様々なサービスを提供するように制御する。また、プロセッサ１２２は、格納モジュール１１０に格納されているソフトウェアモジュールを実行して該当ソフトウェアモジュールに対応するマルチメディアサービスを提供するように制御する。
【００７１】
プロセッサモジュール１２０に含まれるメモリ制御器１２１、プロセッサ１２２及び周辺インタフェース１２３は、シングルチップ又は別途のチップに具現され得る。
【００７２】
通信モジュール１３０のＲＦ処理部１３１は、アンテナを介して送受信される高周波信号を処理する。例えば、ＲＦ処理部１３１はベースバンド処理部１３２から提供されたベースバンド信号を高周波信号に変換してアンテナを介して送信する。また、ＲＦ処理部１３１は、アンテナを介して提供された高周波信号をベースバンド信号に変換してベースバンド処理部１３２に伝送する。ここで、ＲＦ処理部１３１は、ＲＦトランシーバ（ｔｒａｎｓｃｅｉｖｅｒ）、増幅器（ａｍｐｌｉｆｉｅｒ）、チューナ（ｔｕｎｅｒ）、オシレータ（ｏｓｃｉｌｌａｔｏｒ）、デジタルシグナルプロセッサ（ｄｉｇｉｔａｌ  ｓｉｇｎａｌ  ｐｒｏｃｅｓｓｏｒ）、ＣＯＤＥＣチップセット（ＣＯｄｉｎｇ  ＤＥＣｏｄｉｎｇ  ｃｈｉｐ  ｓｅｔ）、加入者識別モジュール（ＳＩＭ：Ｓｕｂｓｃｒｉｂｅｒ  Ｉｄｅｎｔｉｔｙ  Ｍｏｄｕｌｅ）カードなどを含む。
【００７３】
外部ポート１４０は、電子装置が他の外部装置と直接接続されるか、またはネットワークを介して他の装置と接続されるようにする接続インタフェースを含む。例えば、外部ポート１４０は、電子機器の充電のための充電インタフェースを含むことができ、本発明によってカード型外部装置を収容するためのソケットを含むことができる。このようなソケットにはカード型外部装置に備えられた複数の接点パッドと電気的に対応接続するための複数の接続端子を含むことができる。
【００７４】
スイッチング手段４０は、検出手段３０の信号検出又はプロセッサモジュール１２０の制御に応じてソケット内に備えられた複数の接続端子の機能をスイッチングできる。スイッチング手段は複数個のスイッチング装置４１，４２，４３に具現され得る。
【００７５】
検出手段３０は、上記のように、機構的に構成された遊動片３１に設けられた導電体３１１によって固定片３３に設けられたグラウンドピン３３１とコンタクトピン３３２とを電気的に接続させる構成を有することができ、ＳＩＭカードの切り欠き部によって誤挿入のみを感知できる公知の発光部及び受光部を有するフォトセンサであり得る。
【００７６】
オーディオ処理部１５０は、スピーカ（ｓｐｅａｋｅｒ）及びマイクロホンを介してユーザと携帯用電子装置１００の間のオーディオパケットを形成しオーディオインタフェースを提供する。
【００７７】
入出力制御モジュール１６０は、ディスプレイモジュールを含む表示部１７０、キー入力ボタン１８１及びタッチパネル１８２などの入出力装置及び周辺インタフェース１２３にインタフェースを提供する。この時、入出力制御モジュール１６０は、タッチパネルから入力された入力情報に応じてタッチ座標を決定するドライバＩＣをそれぞれ含むことができる。
【００７８】
表示部１７０は、グラフィックソフトウェアーモジュール１１３の制御に応じて電子装置１００の状態情報、ユーザが入力するメッセージ、動画（ｍｏｖｉｎｇ  ｐｉｃｔｕｒｅ）及び静止画（ｓｔｉｌｌ  ｐｉｃｔｕｒｅ）などを表示する。また、表示部１７０は、本発明によってカードの誤挿入が検出されるとエラーメッセージをユーザに提供するように出力できる。
【００７９】
本発明による電子装置はカードを誤挿入しても即座に認識してユーザに認知させることができ、正常の動作を誘導して装置の信頼性の向上に資することができる。
【００８０】
特許請求の範囲内にあって、このような実施形態を変形できる多くの様々な方式が明らかに存在する。換言すれば、添付の特許請求の範囲から逸脱することなく本発明を実施できる多くの他の方式があり得る。
【００８１】
例えば、本発明では８個の接点パッドを有するＳＩＭカードと６個の接続端子を有するソケットについて記載しているが、これに限定されるものではない。例えば、８個より少ないまたは多くの接点パッドを含むＳＩＭカードの他、様々なカード型装置が適用されることができ、これに対応する様々なソケットが適用されるか、または電子装置の基板（ＰＣＢ）に直接配置された接続端子が適用されることもできる。
【符号の説明】
【００８２】
１０  ソケット
１１，１２，１３，１５，１６，１７  接続端子
１９  カード装着面
２０  カード型外部装置
２０’  外部装置
２１  切り欠き部
３０  検出手段
３１  遊動片
３２  スプリング
３３  固定片
４０  スイッチング手段
４１，４２，４３  スイッチング装置
４５  カード制御部
５１  金属性回転片
５２  コンタクトピン
６１  遊動体
６２  スプリング
１００  携帯用電子装置
１０１  表示装置
１０２  スピーカ装置
１０３  マイク装置
１０４  カメラモジュール
１０５  照度センサ
１０６  スロット
１０７  後面
１０８  バッテリパック
１０９  引っ掛かり片
１１０  格納モジュール
１１１  オペレーションシステムソフトウェアモジュール
１１２  通信ソフトウェアモジュール
１１３  グラフィックソフトウェアーモジュール
１１４  ユーザインタフェースソフトウェアモジュール
１１５  アプリケーションプログラムソフトウェアモジュール
１１６  タッチ運用プログラムモジュール
１１７  外部ポート制御モジュール
１１８  データ格納部
１２０  プロセッサモジュール
１２１  メモリ制御器
１２２  プロセッサ
１２３  周辺インタフェース
１３０  通信モジュール
１３１  処理部
１３２  ベースバンド処理部
１４０  外部ポート
１５０  オーディオ処理部
１６０  入出力制御モジュール
１７０  表示部
１８０  入力装置
１８１  キー入力ボタン
１８２  タッチパネル
３１１  導電体
３１２  傾斜部
３３１  グラウンドピン
３３２  コンタクトピン
６１１  導電体
６３１  グラウンドピン
６３２  コンタクトピン
【図１】
0005847788.tif 000002
【図２】
0005847788.tif 000003
【図３Ａ】
0005847788.tif 000004
【図３Ｂ】
0005847788.tif 000005
【図４Ａ】
0005847788.tif 000006
【図４Ｂ】
0005847788.tif 000007
【図５】
0005847788.tif 000008
【図６】
0005847788.tif 000009
【図７】
0005847788.tif 000010
【図８】
0005847788.tif 000011
【図９】
0005847788.tif 000012